(57)【要約】【課題】同期転送が必要なベースバンド信号を非同期系のファイル転送制御と同様の制御で転送する。【解決手段】記録再生装置１ｂとＡＶサーバ３間で素材のベースバンド信号を送受信する際に、記録再生装置１ｂを制御するカート制御装置２は、予め、転送要求された素材の情報を示す素材情報ファイルをＬＡＮ７を介して制御用コンピュータ４から受信し、記録再生装置１ｂによる素材の記録または再生が実行可能な時刻を示す実行開始可能情報ファイルを返信する。そして制御用コンピュータ４は、ＬＡＮ７を介して受信した実行開始可能情報ファイルに基づいた時刻に素材の送信または受信を開始する旨を、カート制御装置２及びＡＶサーバ３に指示する。【選択図】図１
2007104646.tif 000002
【特許請求の範囲】
【請求項１】
映像または音声素材を複数の機器間で転送する素材転送システムにおいて、
素材のベースバンド信号を送受信する通信手段を備え、可搬型記憶媒体への前記素材の記録または前記可搬型記録媒体に記録された前記素材の再生を行う記録再生装置と、
前記記録再生装置を制御し、前記通信手段が前記ベースバンド信号を送受信する際に、予め、転送要求された前記素材の情報を示す素材情報ファイルをネットワークを介して受信し、前記記録再生装置による前記素材の記録または再生が実行可能な時刻を示す実行開始可能情報ファイルを返信する記録再生制御装置と、
前記記録再生装置の前記通信手段との間で前記ベースバンド信号の送受信を行う素材送受信装置と、
前記素材情報ファイルを前記記録再生制御装置に送信するとともに、前記ネットワークを介して受信した前記実行開始可能情報ファイルに基づいた時刻に前記素材の送信または受信を開始する旨を、前記記録再生制御装置及び前記素材送受信装置に指示する素材転送制御装置と、
を有することを特徴とする素材転送システム。
【請求項２】
前記素材情報ファイルは、前記素材の記録時間の情報を有し、前記記録再生制御装置は、前記記録再生装置による記録または再生が開始すると、前記記録時間の経過後に記録または再生を終了し、終了した旨を示す終了情報ファイルを前記素材転送制御装置に送信することを特徴とする請求項１記載の素材転送システム。
【請求項３】
前記通信手段は、シリアルデジタルインターフェースであることを特徴とする請求項１記載の素材転送システム。
【請求項４】
前記素材情報ファイル及び前記実行開始可能情報ファイルは、ＦＴＰまたはＣＩＦＳを用いた前記ネットワーク上で送受信されることを特徴とする請求項１記載の素材転送システム。
【請求項５】
映像または音声素材を複数の機器間で転送する素材転送方法において、
記録再生装置と素材送受信装置との間で素材のベースバンド信号を送受信する際に、前記記録再生装置を制御する記録再生制御手段は、予め、転送要求された前記素材の情報を示す素材情報ファイルを、ネットワークを介して素材転送制御手段から受信し、前記記録再生装置による前記素材の記録または再生が実行可能な時刻を示す実行開始可能情報ファイルを返信し、
前記素材転送制御手段は、前記ネットワークを介して受信した前記実行開始可能情報ファイルに基づいた時刻に前記素材の送信または受信を開始する旨を、前記記録再生制御手段及び前記素材送受信装置に指示することを特徴とする素材転送方法。
【発明の詳細な説明】
【技術分野】
【０００１】
本発明は素材転送システムに関し、特に、ＳＤＩ（Serial Digital Interface）などにより送受信される音声または映像（ＡＶ）素材のベースバンド信号や、ＬＡＮ（Local Area Network）などのネットワークを利用してファイルとして送受信される素材を、複数の機器間で転送する素材転送システム及び素材転送方法に関する。
【背景技術】
【０００２】
大量のＡＶ素材を扱う放送局では、番組制作の際に、保存した大量の素材の中から編集に必要なものを短時間に検索する必要がある。そのため、従来では記録した素材についての情報（番組データやコード番号など）を、素材そのものとは別に記憶して、検索の際にその情報を例えばコンピュータの画面上で参照することで、必要な素材を検索していた。また、素材の記録時にはその素材の一部の静止画像や動画像を別に記録して、検索の際には、これらの画像データも参照して、目的の素材か否かを判定できる検索システムも知られている（例えば特許文献１参照。）。
【０００３】
ところで、近年のＡＶ素材は、ＭＰＥＧ（Moving Picture Coding Experts Group）化が進み、中でもＭＰＥＧ２による圧縮符号化は、デジタル放送やＤＶＤ（Digital Versatile Disc）−Ｖｉｄｅｏなどに使用され、放送番組の製作現場においても利用されてきている。さらに、近年では、ＴＣＰ（Transmission Control Protocol）／ＩＰ（Internet Protocol）ネットワーク上での異なる機種やメーカの放送機器同士でのファイル交換のためのフォーマットとして、ＭＸＦ（Material eXchange Format）が、ＳＭＰＴＥ（Society of Motion Picture and Television Engineers）で標準化された。
【０００４】
ＭＸＦは、ＭＰＥＧフォーマットやＤＶ（Digital Video）フォーマットのデータ、さらにはメタデータ（圧縮符号化方式、映像の内容、種類、撮影場所などの情報）などを一体化して送受信可能なフォーマットであり、ストリーミング機能にも対応している。ＭＸＦを利用することにより、例えば放送局内ＬＡＮを利用して、ＧＵＩ（Graphical User Interface）環境にてドラッグ＆ドロップなどの画面上での簡単な操作で、ＬＡＮ上の機器間による素材ファイルの転送や、再生、記録が可能になってきている。なお、ネットワーク上でのファイルの転送は、ＣＩＦＳ（Common Internet File System）やＦＴＰ（File Transfer Protocol）など、通常非同期転送で使用されるプロトコルによって制御される。
【０００５】
一方で、従来のテープ素材などは、依然、貴重な資源として利用する必要がある。これらの素材のベースバンド信号は、ＳＤＩなどを用いて機器同士を接続して同期系の制御で転送することができる。
【０００６】
図５は、従来の素材転送システムの構成を示す図である。
素材転送システムは、例えば、放送局の番組製作現場において適用されるシステムであり、カート装置１１、ＡＶサーバ１２、制御用コンピュータ１３、ＶＴＲ（Video Tape Recorder）１４、ＬＡＮ１５を有している。また、カート装置１１、ＡＶサーバ１２及び制御用コンピュータ１３は、ＬＡＮ１５に接続している。
【０００７】
カート装置１１は、複数の可搬型記憶媒体（図示せず）を収納する収納棚１１ａと、複数の記録再生装置１１ｂを備えている。
記録再生装置１１ｂは、カート装置１１内に複数搭載されている。各記録再生装置１１ｂは、ＬＡＮ１５に接続可能なインターフェースの他に、ファイルとして転送不可能なベースバンド信号を送受信するＳＤＩなどのインターフェースや、ＩＥＥＥ（the Institute of Electrical and Electronics Engineers）１３９４規格のインターフェースなどを備えている。そして、制御用コンピュータ１３の制御のもと、図示しないロボティックス機能により収納棚１１ａから取り出される光ディスクに素材を記録したり、光ディスクに記録された素材を再生する。
【０００８】
ＡＶサーバ１２は、ファイルサーバとして機能し、例えば放送番組の制作用のＡＶ素材を格納している。ファイルとして転送可能な素材は、例えばＭＸＦファイル化され、ＣＩＦＳまたはＦＴＰによりＬＡＮ１５を介してカート装置１１とＡＶサーバ１２との間で送受信される。
【０００９】
制御用コンピュータ１３は、素材の転送を制御するコンピュータであり、ユーザは、この制御用コンピュータ１３を用いて、所望の素材を検索したり、素材の再生または記録要求を行う。また、カート装置１１の図示しないロボティックス機能や、カート装置１１内の記録再生装置１１ｂ、ＶＴＲ１４を、例えば、ＲＳ−４２２Ａ端子からの制御信号により制御する。
【００１０】
ＶＴＲ１４は、制御用コンピュータ１３の制御のもと、記録再生装置１１ｂとの間で、例えば、ＳＤＩにより素材の送受信を行う。
【特許文献１】特許第２９５２９０８号公報
【発明の開示】
【発明が解決しようとする課題】
【００１１】
しかし、従来の素材転送システムでは、ＳＤＩなどによりベースバンド信号を転送する際には、機器間での同期をとる必要があるため、ＣＩＦＳやＦＴＰなどの非同期系の制御とは別の制御によらなければならなかった。つまり、ファイルとして転送可能な素材とそうでない素材とで、異なる制御で転送を行う必要があり不便であった。
【００１２】
本発明はこのような点に鑑みてなされたものであり、同期転送が必要なベースバンド信号を非同期系のファイル転送制御と同様の制御で転送が可能な素材転送システムを提供することを目的とする。
【００１３】
また、本発明の他の目的は、同期転送が必要なベースバンド信号を非同期系のファイル転送制御と同様の制御で転送が可能な素材転送方法を提供することである。
【課題を解決するための手段】
【００１４】
本発明では上記問題を解決するために、映像または音声素材を複数の機器間で転送する素材転送システムにおいて、素材のベースバンド信号を送受信する通信手段を備え、可搬型記憶媒体への前記素材の記録または前記可搬型記録媒体に記録された前記素材の再生を行う記録再生装置と、前記記録再生装置を制御し、前記通信手段が前記ベースバンド信号を送受信する際に、予め、転送要求された前記素材の情報を示す素材情報ファイルをネットワークを介して受信し、前記記録再生装置による前記素材の記録または再生が実行可能な時刻を示す実行開始可能情報ファイルを返信する記録再生制御装置と、前記記録再生装置の前記通信手段との間で前記ベースバンド信号の送受信を行う素材送受信装置と、前記素材情報ファイルを前記記録再生制御装置に送信するとともに、前記ネットワークを介して受信した前記実行開始可能情報ファイルに基づいた時刻に前記素材の送信または受信を開始する旨を、前記記録再生制御装置及び前記素材送受信装置に指示する素材転送制御装置と、を有することを特徴とする素材転送システムが提供される。
【００１５】
上記の構成によれば、記録再生装置は、素材のベースバンド信号を送受信する通信手段を備え、可搬型記憶媒体への素材の記録または可搬型記録媒体に記録された素材の再生を行う。記録再生制御装置は、記録再生装置を制御し、通信手段がベースバンド信号を送受信する際に、予め、転送要求された素材の情報を示す素材情報ファイルをネットワークを介して受信し、記録再生装置による素材の記録または再生が実行可能な時刻を示す実行開始可能情報ファイルを返信する。素材送受信装置は、記録再生装置の通信手段との間でベースバンド信号の送受信を行う。素材転送制御装置は、素材情報ファイルを記録再生制御装置に送信するとともに、ネットワークを介して受信した実行開始可能情報ファイルに基づいた時刻に素材の送信または受信を開始する旨を、記録再生制御装置及び素材送受信装置に指示する。
【発明の効果】
【００１６】
本発明は、記録再生装置と素材送受信装置の間で素材のベースバンド信号を送受信する際に、記録再生装置を制御する記録再生制御装置は、予め、転送要求された素材の情報を示す素材情報ファイルをネットワークを介して素材転送制御装置から受信し、記録再生装置による素材の記録または再生が実行可能な時刻を示す実行開始可能情報ファイルを返信する。そして素材転送制御装置は、ネットワークを介して受信した実行開始可能情報ファイルに基づいた時刻に素材の送信または受信を開始する旨を、記録再生制御装置及び素材送受信装置に指示するので、同期系の転送制御が必要な素材のベースバンド信号の転送を、非同期系のファイル転送制御と同様の制御で行うことができる。
【発明を実施するための最良の形態】
【００１７】
以下、本発明の実施の形態を図面を参照して詳細に説明する。
図１は、本実施の形態の素材転送システムの構成を示す図である。
本実施の形態の素材転送システムは、例えば、放送局の番組製作現場において適用されるシステムであり、カート装置１、カート制御装置２、ＡＶサーバ３、制御用コンピュータ４、ルータ５、タイムコード発生器６を有している。また、カート装置１、カート制御装置２、ＡＶサーバ３及び制御用コンピュータ４は、ＬＡＮ７に接続している。
【００１８】
カート装置１は、複数の可搬型記憶媒体（図示せず）を収納する収納棚１ａと、複数の記録再生装置１ｂを備えている。また、図示を省略しているが、収納棚１ａから可搬型記憶媒体を取り出し、記録再生装置１ｂへ運ぶ搬送器などのロボティックス機能や、収納棚１ａに挿入された可搬型記憶媒体の識別情報を読み取る装置、例えばバーコードリーダを備えている。
【００１９】
可搬型記憶媒体は、例えば、青紫色レーザ光による高密度記録を採用した光ディスクであり、例えば、２３．３ＧＢの容量を有する。収納棚１ａには、例えば、６００巻程度の光ディスクが収納される。また、光ディスクには、自身のＩＤ（IDentification）を示すバーコードラベルが添付されている。
【００２０】
記録再生装置１ｂは、カート装置１内に複数搭載されている。各記録再生装置１ｂは、ＬＡＮ７に接続可能なインターフェースの他に、ファイルとして転送不可能なベースバンド信号を送受信するＳＤＩなどのインターフェースや、ＩＥＥＥ１３９４規格のインターフェース、タイムコード発生器６で生成したタイムコードを入力するインターフェースも備えている。そして、カート制御装置２の制御のもと、図示しないロボティックス機能により収納棚１ａから取り出される図示しない光ディスクに素材を記録したり、図示しない光ディスクに記録された素材を再生する。
【００２１】
カート制御装置２は、カート装置１の図示しないロボティックス機能や、カート装置１内の記録再生装置１ｂを、例えば、ＲＳ−４２２Ａ端子からの制御信号により制御するコンピュータである。そして、ＬＡＮ７に接続可能なインターフェースを備え、ＡＶサーバ３や制御用コンピュータ４などとの間で、ＬＡＮ７を介して転送可能な素材（ファイルとして転送可能な素材）や、後述する素材情報ファイル、実行開始可能情報ファイルなどを送受信する。なお、ＬＡＮ７を介して受信した素材は、例えば、ＩＥＥＥ１３９４規格のインターフェースにより、記録再生装置１ｂに供給される。
【００２２】
ＡＶサーバ３は、ファイルサーバとして機能し、例えば放送番組の制作用のＡＶ素材を格納している。ファイルとして転送可能な素材は、例えばＭＸＦファイル化され、ＣＩＦＳまたはＦＴＰによりＬＡＮ７を介してカート装置１とＡＶサーバ３との間で送受信される。また、ファイルとして転送不可能な素材のベースバンド信号は、例えば、ＳＤＩにより記録再生装置１ｂとの間で送受信を行う。また、タイムコード発生器６で発生したタイムコードを入力するためのインターフェースを有している。
【００２３】
制御用コンピュータ４は、素材の転送を制御するコンピュータであり、ユーザは、この制御用コンピュータ４を用いて、所望の素材を検索したり、素材の再生または記録要求を行う。詳細な動作については後述する。
【００２４】
ルータ５は、ベースバンド信号の転送先を選択する。
タイムコード発生器６は、各機器間での同期をとるためのタイムコードを生成する。
以下、本実施の形態の素材転送システムの動作を説明する。
【００２５】
まず、カート装置１内の記録再生装置１ｂにおいて、素材の記録を行う場合の動作を説明する。
図２は、カート制御装置の記憶装置に構成されるディレクトリ構造の一部を示す図である。
【００２６】
まず、カート装置１の収納棚１ａに光ディスクが収納されると、光ディスクに添付されたバーコードラベルから光ディスクのＩＤが読み取られ、カート制御装置２の記録装置内の“ＤＩＳＣＳ”ディレクトリの下層に、読み取った光ディスクのディレクトリ（例えば、図２の“０００００００１”ディレクトリ）が作成される。
【００２７】
前述したように本実施の形態の素材転送システムにおける記録再生装置１ｂが扱うことができる素材は、ファイルとして転送可能な素材とファイルとして転送不可能な素材の２種がある。ファイルとして転送可能な素材は、従来と同様に、ＣＩＦＳまたはＦＴＰによる非同期系の制御で転送が行われる。すなわち制御用コンピュータ４は、自身の表示装置に、図２で示すようなカート制御装置２内のディレクトリを表示する。ユーザは、そのディレクトリ内に、ＡＶサーバ３の素材ファイル（例えば、ＭＸＦファイル）を例えばマウスなどでドラッグ＆ドロップする。例えば、図２で示すように、“Ｒｏｏｔ”ディレクトリの下層の“Ｅｎｔｒｙ”ディレクトリに“Ｂ０００００００１．ＭＸＦ”ファイルを置く。
【００２８】
これにより、カート制御装置２の図示しない記憶装置（例えばハードディスクドライブ）に、ＬＡＮ７を介して素材ファイルがダウンロードされる。カート制御装置２は、カート装置１を制御して、収納棚１ａから記録可能な光ディスクを取り出させるとともに、記録可能な記録再生装置１ｂを選択する。そして、収納棚１ａから取り出した光ディスクを、選択した記録再生装置１ｂに挿入させる。記録準備が整うと、カート制御装置２にダウンロードされた素材ファイルを、例えば、ＩＥＥＥ１３９４規格のインターフェースなどで記録再生装置１ｂに送信して光ディスクに記録する。図２の例では、“Ｂ０００００００１．ＭＸＦ”ファイルを“０００００００２”の光ディスクのディレクトリ下層の“Ｃｌｉｐ”ディレクトリに記録している。素材ファイルの記録が終了すると、カート制御装置２は、素材ファイルを記録した光ディスクのＩＤを示すファイル、例えば、図２のように“Ｂ０００００００１．ＳＴＳ”を“Ｅｎｔｒｙ”ディレクトリに置くとともに、制御用コンピュータ４に通知する。
【００２９】
一方、ファイルとして転送不可能な素材のＡＶサーバ３からの記録は、以下のような制御で行われる。
図３は、記録再生装置において素材を記録する際の素材転送システムの動作を示す通信シーケンス図である。
【００３０】
制御用コンピュータ４は、例えば、ＳＤＩで転送したい素材の情報を指定する素材情報ファイル（ＦｉｌｅＩＤ．ＳＤＩ）を、ＬＡＮ７を介してカート制御装置２に送信する（Ｔ１）。なお、このときもＣＩＦＳまたはＦＴＰと同様に、例えば、ユーザが、制御用コンピュータ４の画面上に表示されるカート制御装置２内のディレクトリに、素材情報ファイルをドラッグ＆ドロップすることで、素材情報ファイルがカート制御装置２に送信される。
【００３１】
例えば、図２に示すように、ユーザのドラッグ＆ドロップ操作により、カート制御装置２の記録装置の“Ｒｏｏｔ”の“Ｅｎｔｒｙ”ディレクトリの下層に、ファイルＩＤが“Ａ０００００１００”の素材情報ファイル“Ａ０００００１００．ＳＤＩ”が置かれる。素材情報ファイルには、記録または再生要求された素材のＩＤのほか、記録または再生のどちらが要求されたのかを示す情報、素材の記録時間（Ｄｕｒａｔｉｏｎ）、記録フォーマットなどが含まれる。
【００３２】
カート制御装置２は、このような素材情報ファイルを受信すると（Ｔ２）、カート装置１に、収納棚１ａから記録可能な光ディスクを選択させるとともに、記録可能な記録再生装置１ｂを選択する。そして選択された光ディスクを記録再生装置１ｂに移動させる。カート制御装置２は、このような記録再生装置１ｂによる記録準備にかかる時間を考慮して、記録が実行可能な時刻を示す実行開始可能情報ファイル（ＦｉｌｅＩＤ．ＰＯＴ）を生成して図２のように“Ｅｎｔｒｙ”ディレクトリに置くとともに、ＬＡＮ７を介して制御用コンピュータ４に送信する（Ｔ３）。なお、実行開始可能情報ファイルには、記録再生装置１ｂが記録開始を実行可能な時刻の情報とともに、使用する記録再生装置１ｂを特定するためのＩＤなどが含まれる。
【００３３】
制御用コンピュータ４は、実行開始可能情報ファイルを受信すると（Ｔ４）、受信した実行開始可能情報ファイルの情報をもとに、ＡＶサーバ３に対して素材を再生する時刻を指定するための開始時刻通知ファイル（ＦｉｌｅＩＤ．ＴＩＭ）を送信する（Ｔ５）。ＡＶサーバ３は、開始時刻通知ファイルを受信すると（Ｔ６）、開始時刻通知ファイルで指定された時刻（Ｔ９）に、転送する素材のベースバンド信号を再生して、ＳＤＩによりルータ５を介して記録再生装置１ｂに送信する。
【００３４】
一方、制御用コンピュータ４は、カート制御装置２に対しても、実行開始可能情報ファイルをもとにして素材を記録する時刻を指定するための開始時刻通知ファイル（ＦｉｌｅＩＤ．ＴＩＭ）を送信する（Ｔ７）。カート制御装置２は、開始時刻通知ファイルを受信すると（Ｔ８）、開始時刻通知ファイルを図２のように“Ｅｎｔｒｙ”ディレクトリに置く。そして、開始時刻通知ファイルで指定された時刻（Ｔ９）に、記録再生装置１ｂにＡＶサーバ３からＳＤＩで送信されてくる素材のベースバンド信号を受信して記録させる。カート制御装置２は、素材情報ファイルの“Ｄｕｒａｔｉｏｎ”を参照して、“Ｄｕｒａｔｉｏｎ”時間が経過すると、記録再生装置１ｂの記録を停止させる（Ｔ１０）。カート制御装置２は、カート装置１に、記録が終了した光ディスクを収納棚１ａに戻させる。さらに、カート制御装置２は、素材の記録が終了した旨を示す情報を前述の開始時刻通知ファイル（ＦｉｌｅＩＤ．ＴＩＭ）に付加して終了情報ファイルとして制御用コンピュータ４に送信する（Ｔ１１）。なお、終了情報ファイルには、記録が正常に終了したか、または異常が生じたかを示す情報などが含まれる。また、カート制御装置２は、素材ファイルを記録した光ディスクのＩＤを示すファイル、例えば、図２のように“Ａ０００００１００．ＳＴＳ”を“Ｅｎｔｒｙ”ディレクトリに置くとともに、制御用コンピュータ４に通知する。
【００３５】
なお、図２のように、記録した素材のベースバンド信号をＭＸＦ形式に変換して、例えば、“０００００００１”の光ディスクのディレクトリ下層の“Ｃｌｉｐ”ディレクトリに置くようにしてもよい。
【００３６】
次に、記録再生装置１ｂからＡＶサーバ３に素材の転送を行う場合の動作を説明する。
記録動作の場合と同様に、ファイルとして転送可能な素材は、従来と同じく、ＣＩＦＳまたはＦＴＰにより行われる。すなわち制御用コンピュータ４は、自身の表示装置に、カート制御装置２内のディレクトリを表示する。ユーザは、転送したい素材ファイル（例えばＭＸＦファイル）を、例えばマウスなどで、ＡＶサーバ３の所望のディレクトリにドラッグ＆ドロップする。これにより、選択された素材ファイルを記憶した光ディスクが、記録再生装置１ｂに挿入され、再生される。そして、再生された素材は、記録再生装置１ｂから、ＬＡＮ７を介してＡＶサーバ３に転送され記録される。
【００３７】
一方、ファイルとして転送不可能な素材のＡＶサーバ３への記録は、以下のような制御で行われる。
図４は、記録再生装置の素材をＡＶサーバに記録する際の素材転送システムの動作を示す通信シーケンス図である。
【００３８】
制御用コンピュータ４は、ＳＤＩで転送したい素材の情報を指定する素材情報ファイル（ＦｉｌｅＩＤ．ＳＤＩ）を、ＬＡＮ７を介してカート制御装置２に送信する（Ｔ２０）。なお、このときもＣＩＦＳまたはＦＴＰと同様に、例えば、ユーザが、制御用コンピュータ４の画面上に表示されるカート制御装置２内のディレクトリに、素材情報ファイルをドラッグ＆ドロップすることで、素材情報ファイルがカート制御装置２に送信される。
【００３９】
カート制御装置２は、素材情報ファイルを受信すると（Ｔ２１）、カート装置１に、収納棚１ａから指定された素材が記録された図示しない光ディスクを選択させるとともに、それを再生可能な記録再生装置１ｂを選択する。そして選択された光ディスクを記録再生装置１ｂに移動させる。カート制御装置２は、このような記録再生装置１ｂによる再生準備にかかる時間を考慮して、再生が実行可能な時刻を示す実行開始可能情報ファイル（ＦｉｌｅＩＤ．ＰＯＴ）を生成して図２のように“Ｅｎｔｒｙ”ディレクトリに置くとともに、ＬＡＮ７を介して制御用コンピュータ４に送信する（Ｔ２２）。なお、実行開始可能情報ファイルには、記録再生装置１ｂが再生開始を実行可能な時刻の情報とともに、使用する記録再生装置１ｂを特定するためのＩＤなどが含まれる。
【００４０】
制御用コンピュータ４は、実行開始可能情報ファイルを受信すると（Ｔ２３）、ＡＶサーバ３に対して、受信した実行開始可能情報ファイルをもとにして素材を記録する時刻を指定するための開始時刻通知ファイル（ＦｉｌｅＩＤ．ＴＩＭ）を送信し（Ｔ２４）、ＡＶサーバ３は、これを受信する（Ｔ２５）。
【００４１】
一方、制御用コンピュータ４は、カート制御装置２に対しても、実行開始可能情報ファイルをもとにして素材を再生する時刻を指定するための開始時刻通知ファイル（ＦｉｌｅＩＤ．ＴＩＭ）を送信する（Ｔ２６）。カート制御装置２は、開始時刻通知ファイルを受信すると（Ｔ２７）、開始時刻通知ファイルを図２のように“Ｅｎｔｒｙ”ディレクトリに置く。そして、開始時刻通知ファイルで指定された時刻（Ｔ２８）に、記録再生装置１ｂによる素材の再生を開始する。それと同時にＡＶサーバ３は、カート装置１の記録再生装置１ｂからＳＤＩで送信されてくる素材のベースバンド信号を受信して記録を開始する。
【００４２】
カート制御装置２は、素材情報ファイルの“Ｄｕｒａｔｉｏｎ”を参照して、“Ｄｕｒａｔｉｏｎ”時間が経過すると、記録再生装置１ｂの再生を停止させる（Ｔ２９）。カート制御装置２は、カート装置１に、再生した図示しない光ディスクを再び収納棚１ａに戻させる。さらに、カート制御装置２は、素材の再生が終了した旨を示す情報を前述の開始時刻通知ファイル（ＦｉｌｅＩＤ．ＴＩＭ）に付加して終了情報ファイルとして制御用コンピュータ４に送信する（Ｔ３０）。なお、終了情報ファイルには、再生が正常に終了したか、または異常が生じたかを示す情報と、再生した光ディスクのＩＤなどが含まれる。
【００４３】
以上のように、本実施の形態の素材転送システムによれば、ファイルとして転送不可能な、ベースバンド信号で転送するような素材であっても、ＣＩＦＳまたはＦＴＰと同じ制御により転送を行うことができるようになる。これにより、ユーザは、素材の種類を気にすることなく、簡単に素材の転送を行うことができる。
【００４４】
なお、上記は本発明の一実施の形態にすぎず、特に上記に限定されるものではない。例えば上記では、ベースバンド信号を、ＳＤＩを用いて送受信する場合について説明したが、アナログコンポーネント端子、アナログコンポジット端子などを用いたベースバンド信号の送受信に適用することも可能である。
【００４５】
また、カート装置１及びカート制御装置２は複数あってもよい。
また、ＬＡＮ７の代わりにＷＡＮ（Wide Area Network）を利用してもよい。
また、上記の制御用コンピュータ４の機能がＡＶサーバ３にあってもよい。
【００４６】
また、図５のように、ベースバンド信号を、ＡＶサーバ３ではなくてＶＴＲなどの機器を用いて記録再生装置１ｂとの間で送受信するようにしてもよい。その場合、制御用コンピュータ４は、ＲＳ−４２２Ａ端子からの制御信号によりＶＴＲを制御して、前述したＡＶサーバ３と記録再生装置１ｂとのベースバンド信号の送受信と同様の処理を行わせることができる。
【図面の簡単な説明】
【００４７】
【図１】本実施の形態の素材転送システムの構成を示す図である。
【図２】カート制御装置の記憶装置に構成されるディレクトリ構造の一部を示す図である。
【図３】記録再生装置において素材を記録する際の素材転送システムの動作を示す通信シーケンス図である。
【図４】記録再生装置の素材をＡＶサーバに記録する際の素材転送システムの動作を示す通信シーケンス図である。
【図５】従来の素材転送システムの構成を示す図である。
【符号の説明】
【００４８】
１……カート装置、１ａ……収納棚、１ｂ……記録再生装置、２……カート制御装置、３……ＡＶサーバ、４……制御用コンピュータ、５……ルータ、６……タイムコード発生器、７……ＬＡＮ
【図１】
2007104646.tif 000003
【図２】
2007104646.tif 000004
【図３】
2007104646.tif 000005
【図４】
2007104646.tif 000006
【図５】
2007104646.tif 000007